(57)【要約】【課題】断熱箱体を複数の貯蔵室に区画する断熱仕切壁を備えた断熱箱体を低コストで高品質に形成することができる冷蔵庫を提供することを目的とする。【解決手段】外箱３と内箱２と発泡断熱材とを有する断熱箱体１ａと、断熱箱体１ａを複数の貯蔵室に区画する仕切壁４と、貯蔵室の前面開口部に設けた扉と、を備える冷蔵庫において、仕切壁４は単体で内部に発泡断熱材１５を充填したものを内箱２に配置し、外箱３と内箱２との間に発泡断熱材を充填するとともに、仕切壁４に発泡断熱材の一部を接触させ接合することにより、仕切壁４の成形性の自由度が高まり、断熱性および成形品質を低コストで確保することができるとともに、断熱箱体１ａと仕切壁４との接着性も高まり断熱箱体１ａの強度も高めることができる。【選択図】図８
2015075295.tif 000002
【特許請求の範囲】
【請求項１】
外箱と内箱と発泡断熱材とを有する断熱箱体と、前記断熱箱体を複数の貯蔵室に区画する仕切壁と、前記貯蔵室の前面開口部に設けた扉と、を備える冷蔵庫において、前記仕切壁は単体で内部に発泡断熱材を充填したものを前記内箱に配置し、前記外箱と内箱との間に発泡断熱材を充填するとともに、前記仕切壁に前記発泡断熱材の一部を接触させ接合することを特徴とする冷蔵庫。
【請求項２】
前記仕切壁は上プレートと下プレートを備え、前記上プレートと下プレートの周縁にフランジを備え、前記フランジを接合面としたことを特徴とする請求項１に記載の冷蔵庫。
【請求項３】
前記上プレートと下プレートの周縁フランジに、それぞれ係合する突起および係合孔を設けたことを特徴とする請求項２に記載の冷蔵庫。
【請求項４】
前記仕切壁と前記内箱の接合部との間に空間部を形成したことを特徴とする請求項１から３のいずれか一項に記載の冷蔵庫。
【発明の詳細な説明】
【技術分野】
【０００１】
本発明は、冷蔵庫の断熱箱体を複数の貯蔵室に区画する断熱仕切壁に関するものである。
【背景技術】
【０００２】
従来の冷蔵庫において、内箱と外箱と断熱箱体と、断熱箱体を複数の貯蔵室に区画する仕切壁とを備え、仕切壁を内箱に取り付けて、内箱と外箱とからなる断熱箱体内に発泡断熱材を充填する際に、仕切壁の側面の開口部から仕切壁内にも一体に発泡断熱材を充填する技術が開示されている。（例えば、特許文献１参照）
【先行技術文献】
【特許文献】
【０００３】
【特許文献１】特開平１１−１０１５７３号公報
【発明の概要】
【発明が解決しようとする課題】
【０００４】
しかしながら、上記従来の冷蔵庫では、仕切壁と断熱箱体を一体発泡する際に、厚みが薄くて面積が広い仕切壁の側面の開口部を介して仕切壁全体に発泡断熱材を充填させるために、断熱箱体のみを充填する際の基準密度よりも高い密度で発泡断熱材を注入する必要があり、充填発泡時に接合面から発泡断熱材が洩れ易くなるという課題を有していた。
【０００５】
また、仕切壁と断熱箱体を一体発泡する際に、内箱や外箱や仕切壁が発泡圧で変形しないように、発泡治具で押さえる必要があるが、仕切壁が凹凸形状の場合、確実に発泡治具で押さえられずに変形したり、あるいは確実に押さえるために発泡治具自体が複雑な構成となり、コストアップにつながるという課題を有していた。
【０００６】
本発明は上記従来の課題を解決するものであり、断熱箱体を複数の貯蔵室に区画する断熱仕切壁を備えた断熱箱体を低コストで高品質に形成することができる冷蔵庫を提供することを目的とする。
【課題を解決するための手段】
【０００７】
上記従来の課題を解決するために、本発明の冷蔵庫は、外箱と内箱と発泡断熱材とを有する断熱箱体と、前記断熱箱体を複数の貯蔵室に区画する仕切壁と、前記貯蔵室の前面開口部に設けた扉と、を備える冷蔵庫において、前記仕切壁は単体で内部に発泡断熱材を充填したものを前記内箱に配置し、前記外箱と内箱との間に発泡断熱材を充填するとともに、前記仕切壁に前記発泡断熱材の一部を接触させ接合するものである。
【０００８】
これによって、仕切壁の成形性の自由度が高まり、断熱性および成形品質を低コストで確保することができるとともに、断熱箱体と仕切壁との接着性も高まり断熱箱体の強度も高めることができる。
【発明の効果】
【０００９】
本発明の冷蔵庫は、断熱性および成形品質を向上することができるとともに、断熱箱体の強度も高めることができるので、低コストで高品質な冷蔵庫を提供することができる。
【図面の簡単な説明】
【００１０】
【図１】本発明の実施の形態１における冷蔵庫の概略斜視図
【図２】同実施の形態の冷蔵庫の仕切壁取付状態を示す概略斜視図
【図３】同実施の形態の冷蔵庫の仕切壁の斜視図
【図４】図３のＧ−Ｇ断面図
【図５】同実施の形態の冷蔵庫の仕切壁に発泡断熱材を充填する際の冶具を示す概略図
【図６】同実施の形態の冷蔵庫の仕切壁に発泡断熱材を充填する際の状態図
【図７】同実施の形態の冷蔵庫の断熱箱体に発泡断熱材を充填する際の冶具を示す概略図
【図８】同実施の形態の冷蔵庫の仕切壁を内箱に組み込んだ状態を示す要部断面図
【図９】同実施の形態の冷蔵庫の仕切壁を組み立てた状態を示す斜視図
【図１０】同実施の形態の冷蔵庫の仕切壁の断面図
【図１１】（ａ）同実施の形態の冷蔵庫の仕切壁の発泡断熱材注入口を示す斜視図、（ｂ）発泡断熱材注入口の比較例を示す要部斜視図、（ｃ）発泡断熱材注入口の他の比較例を示す要部斜視図
【図１２】（ａ）実施の形態２の冷蔵庫の仕切壁の貫通部を示す断面概略図、（ｂ）仕切壁の貫通部の比較例を示す断面概略図
【図１３】（ａ）同実施の形態の冷蔵庫の仕切壁の貫通部を示す断面概略図、（ｂ）仕切壁の貫通部の比較例を示す断面概略図
【発明を実施するための形態】
【００１１】
請求項１に記載の発明は、外箱と内箱と発泡断熱材とを有する断熱箱体と、前記断熱箱体を複数の貯蔵室に区画する仕切壁と、前記貯蔵室の前面開口部に設けた扉と、を備える冷蔵庫において、前記仕切壁は単体で内部に発泡断熱材を充填したものを前記内箱に配置し、前記外箱と内箱との間に発泡断熱材を充填するとともに、前記仕切壁に前記発泡断熱材の一部を接触させ接合することにより、仕切壁の成形性の自由度が高まり、断熱性および成形品質を低コストで確保することができるとともに、断熱箱体と仕切壁との接着性も高まり断熱箱体の強度も高めることができ、低コストで高品質な冷蔵庫を提供することができる。
【００１２】
請求項２に記載の発明は、請求項１に記載の発明において、前記仕切壁は上プレートと下プレートを備え、前記上プレートと下プレートの周縁にフランジを備え、前記フランジを接合面としたことにより、前記仕切壁の内部に単体で発泡断熱材を充填する際の発泡断熱材洩れを簡素な構造で確実に防止することができる。
【００１３】
請求項３に記載の発明は、請求項２に記載の発明において、前記上プレートと下プレートの周縁フランジに、それぞれ係合する突起および係合孔を設けたことにより、より簡素な構造で前記仕切壁の内部に単体で発泡断熱材を充填する際の発泡断熱材洩れを確実に防止することができる。
【００１４】
請求項４に記載の発明は、請求項１から３のいずれか一項に記載の発明において、前記仕切壁と前記内箱の接合部との間に空間部を形成したことにより、断熱箱体と仕切壁との接着性を確実に高めることができる。
【００１５】
以下、本発明の実施の形態について、図面を参照しながら説明する。なお、この実施の形態によってこの発明が限定されるものではない。
【００１６】
（実施の形態１）
図１は本発明の実施の形態１における冷蔵庫の概略斜視図、図２は同実施の形態の冷蔵庫の仕切壁取付状態を示す概略斜視図、図３は同実施の形態の冷蔵庫の仕切壁の斜視図、図４は図３のＧ−Ｇ断面図、図５は同実施の形態の冷蔵庫の仕切壁に発泡断熱材を充填す
る際の冶具を示す概略図、図６は同実施の形態の冷蔵庫の仕切壁に発泡断熱材を充填する際の状態図、図７は同実施の形態の冷蔵庫の断熱箱体に発泡断熱材を充填する際の冶具を示す概略図、図８は同実施の形態の冷蔵庫の仕切壁を内箱に組み込んだ状態を示す要部断面図、図９は同実施の形態の冷蔵庫の仕切壁を組み立てた状態を示す斜視図、図１０は同実施の形態の冷蔵庫の仕切壁の断面図、図１１（ａ）は同実施の形態の冷蔵庫の仕切壁の発泡断熱材注入口を示す斜視図、図１１（ｂ）は発泡断熱材注入口の比較例を示す要部斜視図、図１１（ｃ）は発泡断熱材注入口の他の比較例を示す要部斜視図である。
【００１７】
図１、２において、冷蔵庫１は、内箱２と外箱３との間に充填される発泡断熱材を有する断熱箱体１ａと内部を複数の貯蔵室に仕切る仕切壁４と図示しない扉により構成される。そして、仕切壁４によって上部に冷蔵室５、下部に冷凍室６を備え、図示しない冷凍サイクルおよび制御機能部品等により所定の温度に冷却制御される。
【００１８】
ここで仕切壁４は、図３に示すように、上プレート７と下プレート８を組み合わせて側面の注入口９から内部に発泡断熱材１５を充填したもので、予め発泡断熱材１５を充填したものである。そして、仕切壁４は断熱箱体１ａの内箱２の前方開口部側から背面に向けて挿入される。
【００１９】
また、図４に示すように、仕切壁４を構成する上プレート７と下プレート８の側面周縁の接合部には、それぞれ、上プレート７と一体に形成された上フランジ１０と、下プレート８と一体に形成した下フランジ１１とを備え、上フランジ１０と下フランジ１１とを接合面としている。
【００２０】
また、図９に示すように、上プレート７と下プレート８の係合は、下フランジ１１から一体に形成した突起２１と上フランジ１０に形成した係合孔２２とで係合固定される。なお、突起２１と係合孔２２は、上プレート７と下プレート８の周縁のそれぞれの側面に対して複数個所備えている。また、突起２１は断面十字状に形成され、係合孔２２の径とほぼ同一寸法としている。なお、突起２１はテーパを設けてもよい。
【００２１】
また、図５、に示すように、上プレート７と下プレート８を組み合わせて側面の注入口９から内部に発泡断熱材１５を充填する際には、断熱材の発泡圧により変形しないように上治具１２、下治具１３、前治具１４で周囲を覆い、注入口９から内部に発泡断熱材１５を充填する。
【００２２】
そして、上治具１２および下治具１３は前治具１４側を支点として回転する構造で、上治具１２と下治具１３の接合面は、上フランジ１０と下フランジ１１との接合面と同一面としている。上記構成としているので、例えば、仕切壁４に凹部１６を備えた場合でも、複雑な可動治具を用いることなく押えることができ、確実に発泡断熱材１５を充填することができる。
【００２３】
また、図６に示すように、上治具１２、下治具１３、前治具１４で周囲を覆い、注入口９から内部に発泡断熱材１５を充填する際には、注入口９が上方になるように治具を回動配置し、上方より発泡断熱材１５を充填する。これにより、仕切壁４に確実に発泡断熱材１５を充填することができる。
【００２４】
また、図１０に示すように、上プレート７と下プレート８の内面（発泡断熱材１５の充填側）には、発泡断熱材１５の充填後に各プレートと発泡断熱材１５が剥離しないように剥離防止手段としてのビス２３を別体に備えている。そして、上プレート７および下プレート８に一体成形した支持部としてのボス部２４にビス２３をネジ止めして係合支持している。また、ビス２３にはアンダーカット部としての傘部３２を備えている。
【００２５】
また、図１１（ａ）に示すように、仕切壁４の注入口９は、上プレート７あるいは下プレート８の接合面のいずれか一方に設けた発泡断熱材を充填するための開口部が注入口９を形成するもので、上プレート７か下プレート８の接合面のいずれか一方からＵ字状の開口部としたものである。そして、注入口９としての開口部は仕切壁４の背面側で内箱２との接合部に位置するように配置している。
【００２６】
そして、単体で発泡断熱材１５を充填した仕切壁４は、断熱箱体１ａの前方開口部から背面に向かって挿入され、注入口９を背面側として内箱２に配置される。その後、図７に示すように、内箱２と外箱３からなる断熱箱体１ａ（発泡断熱材は未充填の状態）を内治具１７と外治具１８で囲った状態で断熱箱体１ａの内部に発泡断熱材を充填する。
【００２７】
なお、断熱箱体１ａの内部に発泡断熱材を充填する際には、断熱箱体１ａの前面開口部を下方に向けて背面を上方として、２あるいは４箇所の背面注入口から発泡断熱材を充填する。
【００２８】
また、注入口９としての開口部は、前面を除いた内箱との接合部であれば、仕切壁４の側面側に配置してもよい。
【００２９】
また、図８に示すように、仕切壁４周縁と対向する内箱２の背面と側面には所定の間隔を有して開口部１９を備えている。開口部１９は、仕切壁４の上プレート７と一体に形成された上フランジ１０と下プレート８と一体に形成した下フランジ１１の接合面（水平方向）を上下方向に跨って形成した縦長のスリット状の開口部としている。
【００３０】
そして、内箱２の開口部１９と対向する仕切壁４側には、空間部３１を備えている。すなわち、空間部３１を構成するために内箱２の開口部１９部分は凸状の曲面状に成形している。さらに、空間部３１の端部にはシール材２０を備えている。
【００３１】
そして、内箱２と外箱３からなる断熱箱体１ａ（発泡断熱材は未充填の状態）を内治具１７と外治具１８で囲った状態で断熱箱体１ａの内部に発泡断熱材を充填することで、断熱箱体１ａを構成するとともに、開口部１９を介して空間部３１に発泡断熱材の一部を充填、接触させて仕切壁４と内箱２とを接合するものである。
【００３２】
上記構成において、以下その動作、作用を説明する。
【００３３】
冷蔵庫１は、内箱２と外箱３との間に充填される発泡断熱材を有する断熱箱体１ａと内部を複数の貯蔵室に仕切る仕切壁４を備え、仕切壁４は、上プレート７と下プレート８を組み合わせて側面の注入口９から内部に発泡断熱材１５を充填したもので、予め発泡断熱材１５を充填して構成したものであり、これにより、仕切壁４の成形性の自由度が高まり、断熱性および成形品質を低コストで確保することができる。
【００３４】
そして、単体で発泡断熱材１５を充填した仕切壁４は、断熱箱体１ａの前方開口部から背面に向かって挿入し、断熱箱体１ａの内部に発泡断熱材を充填する際に、内箱２の開口部１９を介して空間部３１に発泡断熱材の一部を充填、接触させて仕切壁４と内箱２とを接合するので、断熱箱体と仕切壁との接着性も高まり断熱箱体の強度も高めることができ、低コストで高品質な冷蔵庫を提供することができる。
【００３５】
また、仕切壁４を構成する上プレート７と下プレート８の側面周縁の接合部には、それぞれ、上プレート７と一体に形成された上フランジ１０と、下プレート８と一体に形成した下フランジ１１とを備え、上フランジ１０と下フランジ１１とを接合面としているので
、仕切壁４の内部に単体で発泡断熱材１５を充填する際の発泡断熱材洩れを簡素な構造で確実に防止することができる。
【００３６】
また、仕切壁４を構成する上プレート７と下プレート８の係合は、下フランジ１１から一体に形成した突起２１と上フランジ１０に形成した係合孔２２とで係合固定されるので、より簡素な構造で仕切壁４の内部に単体で発泡断熱材１５を充填する際の発泡断熱材洩れを確実に防止することができる。
【００３７】
また、内箱２の開口部１９と対向する仕切壁４側には、空間部３１を備えているので、断熱箱体１ａと仕切壁４との接着性を確実に高めることができる。
【００３８】
また、仕切壁４の上プレート７と下プレート８の内面（発泡断熱材１５の充填側）には、発泡断熱材１５の充填後に各プレートと発泡断熱材１５が剥離しないように剥離防止手段としてのビス２３を別体に備えているので、上プレート７と下プレート８の成形時の金型は、可動型などの複雑な構成とする必要がなく簡素化することができ、低コスト化を図りながら、仕切壁内の発泡断熱材の剥離を防止でき、仕切壁の強度を高めることができる。
【００３９】
また、上プレート７および下プレート８に一体成形した支持部としてのボス部２４にビス２３をネジ止めして係合支持しているので、成形時の金型は簡素な構造を維持しながら、剥離防止手段としてのビス２３を別体で確実に上プレート７および下プレート８に係合支持することができる。
【００４０】
また、ビス２３にはアンダーカット部としての傘部３２を備えているので、より確実に仕切壁４内の発泡断熱材１５の剥離を防止でき、仕切壁４の強度を高めることができる。
【００４１】
なお、上述した剥離防止手段を備えた仕切壁４は、単体で発泡断熱材１５を充填したもので説明したが、これに限定されることなく、上プレート７と下プレート８を組み合わせた状態で断熱箱体１ａの内部に発泡断熱材を充填する際に、同時に上プレート７と下プレート８の空間に発泡断熱材を充填発泡する仕様のものにも適用することができる。
【００４２】
また、仕切壁４の注入口９は、上プレート７あるいは下プレート８の接合面のいずれか一方に設けた発泡断熱材を充填するための開口部が注入口９を形成するもので、上プレート７か下プレート８の接合面のいずれか一方からＵ字状の開口部としたことにより、簡素な金型でプレートの接合面の一方に発泡断熱材を充填するための開口部を形成することができ、低コスト化を図ることができる。
【００４３】
すなわち、図１１（ｂ）は発泡断熱材注入口の比較例を示す要部斜視図であるが、下プレート８に注入口９ａを円形に形成しようとすると、下プレート８の成形時の金型は、可動型などの複雑な構成とする必要が生じる。また、図１１（ｃ）は発泡断熱材注入口の他の比較例を示す要部斜視図であるが、上プレート７と下プレート８の接合面からそれぞれ半円形に形成し組み合わせて円形状の注入口９ｂとすると、成形時の金型は、可動型などの複雑な構成とする必要はないが、それぞれ個別に成形したものを組み合わせるため、接合面に構成される注入口９ｂの円形にズレが生じる可能性があり、発泡断熱材注入に不具合が生じる可能性がある。
【００４４】
したがって、本実施の形態のように上プレート７か下プレート８の接合面のいずれか一方からＵ字状の開口部としたことにより、簡素な金型でプレートの接合面の一方に発泡断熱材を充填するための開口部を形成することができ、低コスト化を図りながら確実に発泡断熱材を充填することができる。
【００４５】
また、注入口９としての開口部は仕切壁４の背面側あるいは側面側で内箱２との接合部に位置するように配置しているので、発泡断熱材１５を充填するための開口部が、直接露出することを防止でき、意匠性の向上、発泡断熱材の吸水等による断熱性の低下を防止することができる。
【００４６】
なお、本実施の形態では、冷蔵庫１は、仕切壁４によって上部に冷蔵室５、下部に冷凍室６を備えたもので説明したが、これに限定されるものではなく、３つ以上の貯蔵室に仕切る複数の仕切壁を備えた冷蔵庫にも適用することができる。
【００４７】
（実施の形態２）
図１２（ａ）は、実施の形態２の冷蔵庫の仕切壁の貫通部を示す断面概略図、１２（ｂ）は仕切壁の貫通部の比較例を示す断面概略図、図１３（ａ）は同実施の形態の冷蔵庫の仕切壁の貫通部を示す断面概略図、１３（ｂ）は仕切壁の貫通部の比較例を示す断面概略図である。なお、実施の形態１で説明した技術思想は適用可能を前提とし、本実施の形態の特徴的な部分について説明する。
【００４８】
図１２（ａ）において、上プレート７と下プレート８から構成される仕切壁４の奥側には、風路としての貫通部２６を備えている。貫通部２６を構成する断熱材２５は、予め貫通部２６を成形したものを、上プレート７と下プレート８の組立時に挟み込むように配置している。
【００４９】
また、発泡断熱材１５と貫通部２６を構成する断熱材２５との境界部には上プレート７から一体に構成したリブ２７を備えている。
【００５０】
なお、発泡断熱材１５と貫通部２６を構成する断熱材２５との境界部に位置するリブは、図１３（ａ）に示すように、上プレート７から一体に構成したリブ２８と、下プレート８から一体に構成したリブ２９とし、リブ２８とリブ２９を上下方向でラップさせるように配置してもよい。
【００５１】
上記構成において、以下その動作、作用を説明する。
【００５２】
上プレート７と下プレート８から構成される仕切壁４の奥側には、風路としての貫通部２６を備え、貫通部２６を構成する断熱材２５は、予め貫通部２６を成形したものを、上プレート７と下プレート８の組立時に挟み込むように配置しているので、発泡時発泡圧による貫通部（風路部）の変形を防止することができる。
【００５３】
すなわち、１２（ｂ）の仕切壁の貫通部の比較例を示す断面概略図のように貫通部２６を構成する断熱材２５を用いない仕様の場合、風路となる貫通部２６ａの境界部が発泡断熱材１５の発泡時の発泡圧により変形し、所定の開口面積を確保できない問題が生じる可能性がある。一方、本実施の形態では、予め貫通部２６を成形した断熱材２５を上プレート７と下プレート８の組立時に挟み込むように配置しているので、発泡時発泡圧による貫通部（風路部）の変形を確実に防止することができる。
【００５４】
また、発泡断熱材１５と貫通部２６を構成する断熱材２５との境界部に位置するリブは、図１３（ａ）に示すように、上プレート７から一体に構成したリブ２８と、下プレート８から一体に構成したリブ２９とし、リブ２８とリブ２９を上下方向でラップさせるように配置することで、リブによる沿面距離を長く確保でき、発泡時の貫通部（風路部）の変形を防止できるとともに、シール性を高めることができる。
【００５５】
すなわち、１３（ｂ）の仕切壁の貫通部の比較例を示す断面概略図のように、リブ間に隙間が生じる構成の場合、発泡断熱材１５の漏れ防止のために、漏れ防止テープ３０等の対応が必要となる。一方、本実施の形態では、上プレート７から一体に構成したリブ２８と、下プレート８から一体に構成したリブ２９とを上下方向でラップさせるように配置しているので、リブ２８、２９による沿面距離を長く確保でき、発泡断熱材１５の発泡時のシール性を高めることができ、発泡断熱材１５の漏れ防止を簡素な構造で実現できる。
【００５６】
なお、本実施の形態は、実施の形態１で説明した、単体で発泡断熱材１５を充填した仕切壁４を断熱箱体１ａの前方開口部から背面に向かって挿入し、断熱箱体１ａの内部に発泡断熱材を充填する際に、内箱２の開口部１９を介して空間部３１に発泡断熱材の一部を充填、接触させて仕切壁４と内箱２とを接合する仕様に適用できることはもちろんであるが、これに限定されることなく、例えば、貫通部２６を構成する断熱材２５は、予め貫通部２６を成形したものを、上プレート７と下プレート８の組立時に挟み込むように配置し、断熱箱体１ａの内部に発泡断熱材を充填する際に、同時に上プレート７と下プレート８の空間に発泡断熱材を充填発泡する仕様のものにも適用することができる。
【産業上の利用可能性】
【００５７】
以上のように、本発明にかかる冷蔵庫は、断熱性および成形品質を向上することができるとともに、断熱箱体の強度も高めることができるので、発泡断熱材を充填する仕切壁を備えたあらゆる冷却機器の用途に適用できる。
【符号の説明】
【００５８】
１  冷蔵庫
１ａ  断熱箱体
２  内箱
３  外箱
４  仕切壁
５  冷蔵室
６  冷凍室
７  上プレート
８  下プレート
９  注入口
１０  上フランジ
１１  下フランジ
１２  上治具
１３  下治具
１４  前治具
１５  発泡断熱材
１６  凹部
１７  内治具
１８  外治具
１９  開口部
２０  シール材
２１  突起
２２  係合孔
２３  ビス
２４  ボス部
２５  断熱材
２６  貫通部
２７、２８、２９  リブ
３１  空間部
３２  傘部
【図１】
2015075295.tif 000003
【図２】
2015075295.tif 000004
【図３】
2015075295.tif 000005
【図４】
2015075295.tif 000006
【図５】
2015075295.tif 000007
【図６】
2015075295.tif 000008
【図７】
2015075295.tif 000009
【図８】
2015075295.tif 000010
【図９】
2015075295.tif 000011
【図１０】
2015075295.tif 000012
【図１１】
2015075295.tif 000013
【図１２】
2015075295.tif 000014
【図１３】
2015075295.tif 000015